(57)【要約】【課題】装置組み立て時の取り付け誤差により発生する映像ムラを防止することのできる液晶表示装置を提供する。【解決手段】液晶パネルとバックライトとの相対位置ずれに関する誤差値に応じて画素値を補正する液晶表示装置の画素値補正方法において、誤差値をユーザ操作に従って検出する誤差値検出工程（ステップＳ４）と、誤差値検出工程により検出された誤差値に基づいて、各画素に対応する光源を特定し、光源毎に、対応する画素の画素値から当該光源の必要とする発光量を算出する算出工程（ステップＳ５）と、誤差値検出工程により検出された誤差値に基づいて、各画素の画素位置を特定し、特定した画素位置において、各画素の画素値を、光源の光分布により生じる光量の過不足分を補填するように補正する補正工程（ステップＳ７）と、を備える。【選択図】図７
2010107881.tif 000002
【特許請求の範囲】
【請求項１】
複数のサブ表示領域に分割された液晶パネルと、当該サブ表示領域の各々に対応する複数の光源から成るバックライトと、を備える液晶表示装置の前記液晶パネルと前記バックライトとの相対位置ずれに関する誤差値に応じて画素値を補正する液晶表示装置の画素値補正方法において、
前記誤差値をユーザ操作に従って検出する誤差値検出工程と、
前記誤差値検出工程により検出された誤差値に基づいて、各画素に対応する光源を特定し、前記光源毎に、対応する画素の画素値から当該光源の必要とする発光量を算出する算出工程と、
前記誤差値検出工程により検出された誤差値に基づいて、各画素の画素位置を特定し、特定した画素位置において、各画素の画素値を、光源の光分布により生じる光量の過不足分を補填するように補正する補正工程と、
を備えることを特徴とする液晶表示装置の画素値補正方法。
【請求項２】
前記誤差値検出工程は、
前記液晶パネルにより、互いに直交する水平線と垂直線が表示された補正画面を表示するとともに、設計上の前記水平線と前記垂直線の交点位置に対応する光源を点灯させ、ユーザ操作により、交点位置が前記光源による発光エリアの中心に位置するように前記水平線と前記垂直線を移動させ、そのときの前記水平線と前記垂直線の移動量を前記誤差値として検出することを特徴とする請求項１に記載の液晶表示装置の画素値補正方法。
【請求項３】
前記バックライトは、ＬＥＤバックライトであることを特徴とする請求項１又は２に記載の液晶表示装置の画素値補正方法。
【請求項４】
複数のサブ表示領域に分割された液晶パネルと、当該サブ表示領域の各々に対応する複数の光源から成るバックライトと、を備える液晶表示装置の前記液晶パネルと前記バックライトとの相対位置ずれに関する誤差値に応じて画素値を補正する液晶表示装置の画素値補正方法において、
前記バックライトは、ＬＥＤバックライトであり、
前記光源の各々は、複数のＬＥＤを備え、
前記光源内における各ＬＥＤの配置位置を記憶する記憶手段を備え、
前記誤差値をユーザ操作に従って検出する誤差値検出工程と、
前記誤差値検出工程により検出された誤差値に基づいて、各画素に対応する光源を特定し、前記光源毎に、対応する画素の画素値から当該光源の必要とする発光量を算出する算出工程と、
前記誤差値検出工程により検出された誤差値に基づいて、各画素の画素位置を特定し、特定した画素位置において、各画素の輝度を、前記記憶手段に記憶されたＬＥＤの配置位置に基づいて、発光するＬＥＤからの距離により生じる光量の過不足分を補填するように補正する補正工程と、
を備え、
前記誤差値検出工程は、
前記液晶パネルにより、互いに直交する水平線と垂直線が表示された補正画面を表示するとともに、設計上の前記水平線と前記垂直線の交点位置に対応する光源を点灯させ、ユーザ操作により、交点位置が前記光源による発光エリアの中心に位置するように前記水平線と前記垂直線を移動させ、そのときの前記水平線と前記垂直線の移動量を前記誤差値として検出することを特徴とする液晶表示装置の画素値補正方法。
【発明の詳細な説明】
【技術分野】
【０００１】
本発明は、液晶表示装置の画素値補正方法に関する。
【背景技術】
【０００２】
近年、液晶パネルの背面側からバックライト光を照射し、液晶パネル上に画像を表示する液晶表示装置が普及している（例えば、特許文献１参照。）。
このような液晶表示装置において、液晶パネルを複数の領域Ｓに分割して各分割領域別にバックライトの光源Ｌの発光量を調節する、いわゆるローカルディミングと呼ばれるバックライト駆動方式が知られている。このバックライト駆動方式では、画面に明るく表示される部分に対応するバックライトのＬＥＤ（Light Emitting Diode）を点灯させ、画面のその他の部分に対応するＬＥＤは点灯させない、又は低発光量で点灯させるなど、ＬＥＤを部分的に駆動させることができるため、明るい部分をさらに明るく、暗い部分はさらに暗くしてより鮮明な映像を実現することができる。
【０００３】
ここで、バックライトの各光源Ｌの光はある分布を持っている。図８に、光源Ｌの中央にＬＥＤを配置した場合の光源Ｌの光分布を示す。なお、図８では、縦軸は光量、横軸は液晶パネルの水平方向の位置を示している。
図８に示すように、光源Ｌは、光量の低い領域と高い領域が緩やかな勾配を有した光分布となるため、上記したバックライト駆動方式においては、各光源Ｌに対応する画素の画素値が正確な映像を表現可能な画素値となるよう補正が行われている。
【特許文献１】特開２００２−１００４８５号公報
【発明の開示】
【発明が解決しようとする課題】
【０００４】
ところで、一般的に、上記のような液晶表示装置を組み立てた場合、液晶パネルとバックライトとは製造段階の取り付け誤差などにより相対位置がずれることがある。この結果、図８に示すように、設計値（実線）に対して点灯位置（破線）がずれることとなる。
上記した画素値の補正は、液晶パネルとバックライトとが完全に重なった場合を想定して行われるものであるため、液晶パネルとバックライトとの相対位置がずれると適正な補正とならず、映像にムラが発生するという問題があった。
【０００５】
本発明の課題は、ローカルディミング駆動方式を用いる液晶表示装置において、液晶パネルとバックライトとの相対位置ずれにより発生する映像ムラを防止することである。
【課題を解決するための手段】
【０００６】
前記課題を解決するために、請求項１に記載の発明は、
複数のサブ表示領域に分割された液晶パネルと、当該サブ表示領域の各々に対応する複数の光源から成るバックライトと、を備える液晶表示装置の前記液晶パネルと前記バックライトとの相対位置ずれに関する誤差値に応じて画素値を補正する液晶表示装置の画素値補正方法において、
前記誤差値をユーザ操作に従って検出する誤差値検出工程と、
前記誤差値検出工程により検出された誤差値に基づいて、各画素に対応する光源を特定し、前記光源毎に、対応する画素の画素値から当該光源の必要とする発光量を算出する算出工程と、
前記誤差値検出工程により検出された誤差値に基づいて、各画素の画素位置を特定し、特定した画素位置において、各画素の画素値を、光源の光分布により生じる光量の過不足分を補填するように補正する補正工程と、
を備えることを特徴とする。
【０００７】
請求項２に記載の発明は、請求項１に記載の液晶表示装置の画素値補正方法において、
前記誤差値検出工程は、
前記液晶パネルにより、互いに直交する水平線と垂直線が表示された補正画面を表示するとともに、設計上の前記水平線と前記垂直線の交点位置に対応する光源を点灯させ、ユーザ操作により、交点位置が前記光源による発光エリアの中心に位置するように前記水平線と前記垂直線を移動させ、そのときの前記水平線と前記垂直線の移動量を前記誤差値として検出することを特徴とする。
【０００８】
請求項３に記載の発明は、請求項１又は２に記載の液晶表示装置の画素値補正方法において、
前記バックライトは、ＬＥＤバックライトであることを特徴とする。
【０００９】
請求項４に記載の発明は、
複数のサブ表示領域に分割された液晶パネルと、当該サブ表示領域の各々に対応する複数の光源から成るバックライトと、を備える液晶表示装置の前記液晶パネルと前記バックライトとの相対位置ずれに関する誤差値に応じて画素値を補正する液晶表示装置の画素値補正方法において、
前記バックライトは、ＬＥＤバックライトであり、
前記光源の各々は、複数のＬＥＤを備え、
前記光源内における各ＬＥＤの配置位置を記憶する記憶手段を備え、
前記誤差値をユーザ操作に従って検出する誤差値検出工程と、
前記誤差値検出工程により検出された誤差値に基づいて、各画素に対応する光源を特定し、前記光源毎に、対応する画素の画素値から当該光源の必要とする発光量を算出する算出工程と、
前記誤差値検出工程により検出された誤差値に基づいて、各画素の画素位置を特定し、特定した画素位置において、各画素の輝度を、前記記憶手段に記憶されたＬＥＤの配置位置に基づいて、発光するＬＥＤからの距離により生じる光量の過不足分を補填するように補正する補正工程と、
を備え、
前記誤差値検出工程は、
前記液晶パネルにより、互いに直交する水平線と垂直線が表示された補正画面を表示するとともに、設計上の前記水平線と前記垂直線の交点位置に対応する光源を点灯させ、ユーザ操作により、交点位置が前記光源による発光エリアの中心に位置するように前記水平線と前記垂直線を移動させ、そのときの前記水平線と前記垂直線の移動量を前記誤差値として検出することを特徴とする。
【発明の効果】
【００１０】
本発明によれば、誤差値をユーザ操作に従って検出する誤差値検出工程と、誤差値検出工程により検出された誤差値に基づいて、各画素に対応する光源を特定し、光源毎に、対応する画素の画素値から当該光源の必要とする発光量を算出する算出工程と、誤差値検出工程により検出された誤差値に基づいて、各画素の画素位置を特定し、特定した画素位置において、各画素の画素値を、光源の光分布により生じる光量の過不足分を補填するように補正する補正工程と、を備えた液晶表示装置の画素値補正方法であるため、液晶パネルとバックライトとの相対位置ずれを加味した補正を行うことができる。
従って、液晶パネルとバックライトとの組み立て時の取り付け誤差により発生する映像ムラを防止することができる。
【発明を実施するための最良の形態】
【００１１】
以下、本発明の実施の形態について図面を参照しながら説明する。なお、発明の範囲は図示例に限定されない。
図１は、本実施形態の液晶表示装置の要部構成を示すブロック図である。また、図２（ａ）は、本実施形態の液晶パネル１５の表示領域を構成するサブ表示領域Ｓを説明するための図であり、図２（ｂ）は、本実施形態のバックライト１８を構成する光源Ｌを説明するための図である。
【００１２】
図１に示すように、本実施形態の液晶表示装置１００は、液晶表示装置本体部（以下、本体部という。）１０と、例えば赤外線等の無線信号により本体部１０と通信可能なリモコン装置３０と、を備えている。
【００１３】
まず、本体部１０の構成について説明する。
図１に示すように、本体部１０は、例えば、信号入力部１１、映像処理部１２、タイミング制御部１３、フレームメモリ１４、液晶パネル１５、走査線駆動部１６、信号線駆動部１７、バックライト１８、バックライト制御部１９、制御部２０、発光量算出部２１、補正部２２、等を備えている。
【００１４】
信号入力部１１は、例えば、テレビジョン放送信号を受信するアンテナ及びチューナや、外部装置からの画像信号を受信する各種映像端子等を備えて構成され、入力される画像信号を受信して、映像処理部１２に出力する。
【００１５】
映像処理部１２は、Ａ／Ｄ変換回路、ＲＧＢ生成回路、画質調整回路等を備えて構成され、信号入力部１１から供給される画像信号に基づいて、ＲＧＢのデジタル画像信号を生成し、液晶パネル１５の画素数に応じたスケーリング処理を行って、１フレーム分の画像信号を生成する。さらに、１フレーム分の画像信号に対して、制御部２０から出力される画質調整信号に基づいて、ブライトネス、コントラスト、色の濃さ、色合い、シャープネス等の各種画質調整を行った後に、フレームメモリ１４に出力する。
【００１６】
タイミング制御部１３は、信号入力部１１から供給される画像信号に基づいて、１ライン期間を示すタイミング信号と、１フレーム期間を示すタイミング信号とを生成して、液晶表示装置１００の各部に供給する。
【００１７】
フレームメモリ１４は、映像処理部１２から入力される画像信号をフレーム単位で蓄積し、発光量算出部２１及び補正部２２に出力する。
【００１８】
液晶パネル１５は、所定の間隔を隔てて配設された一対の基板の間に液晶が封入されて成る。これら一対の基板は、偏光軸が直交した２枚の偏光板で挟まれ、背面側にはバックライト１８が配設されている。液晶パネル１５は、その表示領域が予め定められた分割方法で分割した複数のサブ表示領域Ｓ・・・から構成されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル１５は、例えば、アクティブマトリクス駆動方式を採用しており、走査線Ｘと信号線Ｙの各交点の画素に、アクティブ素子としての薄膜トランジスタ（TFT: Thin Film Transistor）が配設されている。各画素には画素電極が形成され、画素電極に対向して、対向する基板に対向電極が形成されている。また、画素電極と対向電極との対向面にはそれぞれ配向膜が形成されている。
【００１９】
走査線駆動部１６は、液晶パネル１５における走査線Ｘ（Ｘ１〜Ｘｐ）の各々に対応して設けられており、タイミング制御部１３からのタイミング信号に従って、各走査線Ｘを順に選択して、同一の走査線Ｘ上に連なるＴＦＴをオン／オフさせる。
【００２０】
信号線駆動部１７は、液晶パネル１５における信号線Ｙ（Ｙ１〜Ｙｑ）の各々に対応して設けられており、走査線駆動部１６による各走査線Ｘの走査に同期して、映像処理部１２から入力される画像信号に応じた電圧を信号線Ｙに対して印加する。
【００２１】
走査線駆動部１６及び信号線駆動部１７により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル１５の背面側に設けられたバックライト１８から照射される光を画素単位で通過或いは遮断させる。
【００２２】
バックライト１８は、制御部２０の制御に応じて部分的に発光可能なローカルディミング型のバックライトである。
具体的には、バックライト１８は、液晶パネル１５の各サブ表示領域Ｓ・・・に対応する複数の光源Ｌ・・・から構成されている。光源Ｌの各々は、基板上の所定の位置に配置された複数のＬＥＤを備えており、光源Ｌ内における各ＬＥＤの配置位置は、後述する配置位置記憶部２０３に記憶されている。各光源Ｌにおいては、複数のＬＥＤのうち制御部２０により指定されたＬＥＤのみが発光されるようになっている。
また、光源Ｌに備わる各ＬＥＤは、出力可能な最大発光量が予め定められており、予め定められた最大発光量を示すデータが図示しない記憶領域に記憶されている。
すなわち、各光源Ｌは、ＬＥＤがバックライト制御部１９による駆動に応じて個別に発光可能となっており、対応するサブ表示領域Ｓ内の画素の画素値から算出された発光量で発光するようになっている。
【００２３】
また、液晶パネル１５のサブ表示領域Ｓとバックライト１８の光源Ｌとは、１対１で対応した個数となるように構成されている。
具体的には、液晶パネル１５の表示領域が、縦ｎ個×横ｍ個のサブ表示領域Ｓ・・・にマトリクス状に等分割されている場合、バックライト１８は、液晶パネル１５における縦ｎ個×横ｍ個のサブ表示領域Ｓ・・・に１対１で対応する縦ｎ個×横ｍ個の光源Lから構成されている。
例えば、液晶パネル１５が、７６８行（ｐ行）×１０２４列（ｑ列）の画素から成る場合に、６４行×６４列の画素を含む領域を一つのサブ表示領域Ｓとして表示領域を分割すると、液晶パネル１５の表示領域全体が、縦１２個（ｎ個）×横１６個（ｍ個）のサブ表示領域Ｓから構成されることとなる。このとき、バックライト１８も同様に、縦１２個（ｎ個）×横１６個（ｍ個）の光源Ｌから構成されることとなる。
【００２４】
なお、以下では、左上のサブ表示領域をＳ（１、１）、右上のサブ表示領域をＳ（ｍ、１）、左下のサブ表示領域をＳ（１、ｎ）、右下のサブ表示領域をＳ（ｍ、ｎ）として説明する。また、サブ表示領域Ｓ（１、１）に対応する左上の光源をＬ（１、１）、サブ表示領域Ｓ（ｍ、１）に対応する右上の光源をＬ（ｍ、１）、サブ表示領域Ｓ（１、ｎ）に対応する左下の光源をＬ（１、ｎ）、サブ表示領域Ｓ（ｍ、ｎ）に対応する右下の光源をＬ（ｍ、ｎ）として説明する。また、その他のサブ表示領域Ｓ及び光源Ｌについても、同様の方法で符号を割り当てることとする。
【００２５】
バックライト制御部１９は、制御部２０からの指示にしたがって、バックライト１８を構成する各光源Ｌに備わる複数のＬＥＤのうち、制御部２０から指示されたＬＥＤのみを発光させることで、各光源Ｌを、対応関係にあるサブ表示領域Ｓ内の画素の画素値から算出された発光量で発光させる。
【００２６】
制御部２０は、例えば、ＣＰＵ（Central Processing Unit）２０１、ＣＰＵ２０１のワークエリアとして用いられるＲＡＭ（Random Access Memory）２０２、データの書換え及び消去が可能なＥＥＰＲＯＭ（Electrically Erasable Programmable ROM）からなる配置位置記憶部２０３及び誤差値記憶部２０４、ＣＰＵ２０１によって実行される各種プログラムを格納するＲＯＭ（Read Only Memory）２０５等を備えて構成される。
【００２７】
ＣＰＵ２０１は、液晶表示装置１００の各部から入力される入力信号に応じて、ＲＯＭ２０５に格納された各種プログラムを実行するとともに、実行にかかるプログラムに基づいて各部に出力信号を出力することにより、液晶表示装置１００の動作全般を統括制御する。
【００２８】
配置位置記憶部２０３は、記憶手段として、縦ｎ個×横ｍ個の各光源Ｌに備わるＬＥＤの配置位置を記憶する。
図３（ａ）は、配置位置記憶部２０３の一例である。
例えば、各光源Ｌ（ｍ、ｎ）が、光源Ｌ内の４つの端部領域にそれぞれＬＥＤａ〜ｄを分散して備える場合（図３（ｂ）参照。）、配置位置記憶部２０３には、図３（ａ）に示すように、光源Ｌ（１、１）〜光源Ｌ（ｍ、ｎ）について、各ＬＥＤａ〜ｄの配置位置を、例えば、「左上端部」「右上端部」「左下端部」「右下端部」のように記憶する。
なお、ＬＥＤの配置位置は、バックライト１８／光源Ｌにおける何らかの数値データにより記憶されていても良い。
【００２９】
誤差値記憶部２０４は、液晶パネル１５とバックライト１８との設置時の相対位置ずれに関する誤差値（ｘ、ｙ）を記憶する。
【００３０】
ここで、この誤差値（ｘ、ｙ）について図４〜６を用いて説明する。
図４は、液晶パネル１５とバックライト１８とが、相対的に位置ずれした状態を示す図である。図４においては、実線は、液晶パネル１５を示しており、破線は、液晶パネル１５から横Ｘ、縦Ｙだけ位置ずれしたバックライト１８を示している。
【００３１】
本実施形態においては、この液晶パネル１５とバックライト１８との設置時の相対位置ずれは、誤差値（ｘ、ｙ）として、誤差値記憶部２０４に記憶され、発光量算出部２１や補正部２２によって参照されるようになっている。
この誤差値（ｘ、ｙ）は、製造段階の取り付け誤差などにより発生する誤差値（以下、第１誤差値という。）と、第１誤差値の測定後設置までの間に発生する第１誤差値から更にずれた誤差値（以下、第２誤差値という。）と、がある。
【００３２】
具体的には、第１誤差値（ｘ、ｙ）は、出荷前に検出されて誤差値記憶部２０４に記憶されるものである。この第１誤差値（ｘ、ｙ）は、例えば、バックライト１８を全て点灯させた場合の画像を撮像し、この画像の直交する２方向に沿った走査によって輝度値を計測し、この輝度値を解析することによって検出される。すなわち、液晶パネル１５とバックライト１８との相対位置がずれている場合には、重なっていない部分での輝度値が低下するので、その境目を検出することで、相対的な位置ずれに関する誤差値（ｘ、ｙ）が把握できる。
【００３３】
また、第２誤差値（ｘ、ｙ）は、設置後にユーザ操作に従って検出されるものである。第２誤差値（ｘ、ｙ）が検出されると、誤差値記憶部２０４に記憶された第１誤差値（ｘ、ｙ）が上書きされて誤差値記憶部２０４に記憶される。
【００３４】
ここで、このユーザによって検出される第２誤差値（ｘ、ｙ）の検出方法について説明する。
図５（ａ）（ｂ）は、ユーザ操作により画素値の補正が実行される場合に液晶パネル１５上に表示される補正画面Ｇの一例を示す。
また、図６（ａ）は、補正画面Ｇに対応するバックライト１８の点灯状態の一例を示す図であり、図６（ｂ）は、図６（ａ）のバックライト１８に対応する液晶パネル１５の一例を示す図である。
【００３５】
図５（ａ）（ｂ）に示すように、補正画面Ｇには、互いに直交する水平線（Ｘ軸）と垂直線（Ｙ軸）が表示され、補正画面Ｇの左上には、その時点での補正値（Ｘ、Ｙ）が表示されている。
具体的には、液晶パネル１５に補正画面Ｇが表示された際、バックライト１８は、図６（ａ）に示すように、設計上のＸ軸とＹ軸の交点位置に対応する光源Ｌ（α、β）を１００％点灯させ、光源Ｌ（α、β）周辺を１０％点灯させ、その他の領域を１００％点灯させるようになっている。なお、光源Ｌ（α、β）の周辺を１０％点灯させるのは、Ｘ軸及びＹ軸が視認不可となるのを防ぐためである。
また、このとき液晶パネル１５は、図６（ｂ）に示すように、光源Ｌ（α、β）とその周辺の１０％点灯したエリア対応する領域を白１００％とし、その他の領域は黒色となるようになっている。なお、Ｘ軸及びＹ軸は例えば黄色などとすることにより視認可能となっている。さらに、白１００％領域においては、Ｘ軸及びＹ軸を、その他の領域とは異なる例えば赤色などとすることにより、白１００％エリアが視覚的に分かりやすいようになっている。
【００３６】
このような補正画面Ｇでは、図５（ａ）に示すように、液晶パネル１５とバックライト１８との相対的な位置ずれが在る場合、交点位置と設計上交点位置に対応する光源の発光エリアの中心位置とがずれることとなる。
この位置ずれの補正処理において、ユーザは、例えば、リモコン装置３０の操作部の上下左右キーを用いて、液晶パネル１５上のＸ軸とＹ軸を移動させ、図５（ｂ）に示すように、交点位置が光源による発光エリアの中心に位置するように操作する。また、このとき、Ｘ軸とＹ軸のそれぞれの移動量は、Ｘ、Ｙの値として表示されることとなる。
ユーザが、交点位置が光源による発光エリアの中心に位置した状態で、リモコン装置３０の操作部の決定キーを操作すると、移動量Ｘ、Ｙは第２誤差値として誤差値記憶部２０４に上書きされる。
なお、図５（ａ）（ｂ）では、初期段階の第１誤差値が（１０、５）であって、ユーザにより交点位置がＸ方向に＋２、Ｙ方向に−３補正されたため、第２誤差値が（１２、２）となった場合を示している。
【００３７】
なお、液晶パネル１５とバックライト１８とが、完全に重なるように配置されている場合には、相対位置ずれがないため誤差値（ｘ、ｙ）は、誤差値（ｘ、ｙ）＝（０、０）と記憶されている。すなわち、この場合には、例えば液晶パネル１５のサブ表示領域Ｓ（１、１）と、バックライト１８の光源Ｌ（１、１）とは完全に重なるようになっている。
【００３８】
ＲＯＭ２０５は、プログラム格納エリア内に、例えば、誤差値検出プログラム２０５ａ、算出プログラム２０５ｂ、発光制御プログラム２０５ｃ、補正プログラム２０５ｄ等を備えている。
【００３９】
誤差値検出プログラム２０５ａは、例えば、ＣＰＵ２０１に、ユーザ操作に従って第２誤差値を検出させるためのプログラムである。
具体的には、ＣＰＵ２０１は、ユーザによる画素値補正処理の実行指示の入力に応じて液晶パネル１５上に補正画面Ｇを表示させ、ユーザにより液晶パネル１５上のＸ軸とＹ軸とが移動され、その交点位置が決定されると、交点位置の移動量を第２誤差値として検出し、誤差値記憶部２０４に記憶された第１誤差値をこの第２誤差値により上書きする。
【００４０】
算出プログラム２０５ｂは、例えば、ＣＰＵ２０１に、誤差値記憶部２０４に記憶された誤差値（ｘ、ｙ）基づいて、サブ表示領域Ｓの各画素に対応する光源Ｌを特定し、光源Ｌ毎に、対応する画素の画素値から当該光源Ｌの必要とする発光量を算出する機能を実現させるためのプログラムである。
具体的には、ＣＰＵ２０１は、各画素ごとに対向する位置にある光源Ｌを特定し、フレームメモリ１４から取り込んだ画素値に基づいて、光源Ｌ毎に各光源Ｌに必要な発光量を算出する。
なお、サブ表示領域Ｓの各画素の位置と、各画素に対応する光源との関係は予め設定されるものである。例えば、サブ表示領域Ｓ（１、１）と光源Ｌ（１、１）とが重なるように設定されており、サブ表示領域Ｓ（１、１）の各画素と、これに対応する光源Ｌ（１、１）のＬＥＤとは予め決められている。このため、一の画素の画素位置に上記誤差値を足すことにより実際の画素の位置を演算することができ、各画素に対応する光源を変更することができる。
ＣＰＵ２０１は、かかる算出プログラム２０５ｂを実行することにより、発光量算出部２１とともに算出手段として機能する。
【００４１】
発光制御プログラム２０５ｃは、例えば、ＣＰＵ２０１に、算出プログラム２０５ｂにより決定された発光量となるように光源Ｌ毎のＬＥＤを発光させる機能を実現させるためのプログラムである。
具体的には、ＣＰＵ２０１は、算出プログラム２０５ｂの実行において、光源Ｌ（１、１）について、例えば、ＬＥＤ「Ｌ（１、１）ａ」と、ＬＥＤ「Ｌ（１、１）ｂ」とが、発光させるＬＥＤとして決定されると、バックライト制御部１９により、これら２つのＬＥＤのみを発光させ、発光量算出部２１により算出された必要な発光量で光源Ｌ（１、１）を発光させる。
このとき、ＣＰＵ２０１は、ＬＥＤ「Ｌ（１、１）ｂ」、ＬＥＤ「Ｌ（１、１）ａ」を、必要な発光量をＬＥＤの数で等分割した同じ輝度で発光させても良い。或いは、ＬＥＤの発光順序に所定の優先順位をつけておき、優先順位が高いＬＥＤを、そのＬＥＤが出力可能な最大発光量で発光させ、必要な発光量に達しない分の発光量を、優先順位の低いＬＥＤで補うように発光させても良い。
【００４２】
補正プログラム２０５ｄは、例えば、ＣＰＵ２０１に、誤差値記憶部２０４に記憶された誤差値（ｘ、ｙ）に基づいて、各画素の画素位置を特定し、特定した画素位置において、各画素の画素値を、光源Ｌの光分布により生じる光量の過不足分を補填するように補正する機能を実現させるためのプログラムである。
さらに、補正プログラム２０５ｄは、例えば、ＣＰＵ２０１に、上記のように特定した画素位置において、各画素の画素値を、各光源ＬのＬＥＤの配置位置に基づいて、発光するＬＥＤからの距離により生じる光量の過不足分を補填するように補正する機能を実現させるためのプログラムである。
具体的には、ＣＰＵ２０１は、上述したように、各光源ＬにおけるＬＥＤを誤差値記憶部２０４に記憶された誤差値（ｘ、ｙ）だけずれた画素に対応したものとして、各画素の光分布を調整する。
また、このとき、ＣＰＵ２０１は、各光源Ｌに備わる全てのＬＥＤを発光させない場合において、発光させるＬＥＤの配置位置に起因するサブ表示領域Ｓの画像の輝度ムラを補填するように、サブ表示領域Ｓ内の画素の輝度を調整する。
【００４３】
例えば、図３（ｂ）に示すように、各光源Ｌにおいて、４つのＬＥＤを光源Ｌの端部領域に分散させるように配置した配置パターンを想定する。このとき、左上のＬＥＤａ（例えば、Ｌ（１、１）ａ）のみを発光させた場合、対応するサブ表示領域Ｓ（例えば、Ｓ（１、１）の画像において、左上端部の領域から離れるほど光量が不足する。
このような場合、ＣＰＵ２０１は、補正部２２に、サブ表示領域Ｓ（１、１）の画素値に対して、左上端部の領域から離れるほど画素値の輝度を高くする補正を行わせる。また、サブ表示領域Ｓの画像において目標の光量よりも光量が高くなる領域がある場合には、ＣＰＵ２０１は、補正部２２に、その領域における画素値の輝度を低くする補正を行わせる。
これにより、設置時の相対位置ずれがあった場合でも、輝度ムラを抑制して各画素の必要な光量に即した適切な表示を行うことができる。また、光源Ｌ内のＬＥＤをどのように配置しても、また、どのＬＥＤを発光させても、輝度ムラを抑制して各画素の必要な輝度に即した適切な表示を行うことができる。
ＣＰＵ２０１は、かかる補正プログラム２０５ｄを実行することにより、補正手段として機能する。
【００４４】
発光量算出部２１は、誤差値（ｘ、ｙ）に基づいて、各画素に対応する光源Ｌを特定し、光源Ｌ毎に、対応する画素の画素値から当該光源Ｌの必要とする発光量を算出する。
具体的には、発光量算出部２１は、各画素ごとに対向する位置にある光源Ｌを特定し、フレームメモリ１４から取り込んだ画像信号に基づいて、光源Ｌ毎に各光源Ｌに必要な発光量を算出し、算出した発光量を制御部２０に出力する。
【００４５】
補正部２２は、誤差値（ｘ、ｙ）に基づいて、各画素の画素位置を特定し、特定した画素位置において、各画素の画素値を、光源Ｌの光分布により生じる光量の過不足分を補填するように補正する。
また、このとき補正部２２は、特定した画素位置において、各画素の画素値を、各光源ＬのＬＥＤの配置位置に基づいて、発光するＬＥＤからの距離により生じる光量の過不足分を補填するように補正する。
すなわち、補正部２２は、誤差値（ｘ、ｙ）に基づいて各画素の画素位置を特定し、この画素位置と光源からの位置関係に基づいて光量の過不足分を補填することで、各画素の輝度を調整する。
【００４６】
具体的には、補正部２２は、各光源Ｌが、誤差値（ｘ、ｙ）だけずれた画素に対応するものであるとして、各画素の光量を補正する。
例えば、図４に示すように位置ずれした場合、補正部２２は、光源Ｌ（１、１）を、サブ表示領域Ｓ（１、１）、Ｓ（２、１）、Ｓ（１、２）、Ｓ（２、２）のそれぞれ対向する領域（図４の斜線領域）と対応させており、サブ表示領域Ｓ（１、１）、Ｓ（２、１）、Ｓ（１、２）、Ｓ（２、２）の各画素の画素値について、目標の光量に達していない領域については、その領域内の画素値の輝度を高くする補正を行うことで光量の不足分を補填する。一方、目標の光量を超える領域については、その領域内の画素値の輝度を低くする補正を行うことで光量の過多分を補填する。
このとき、光源Ｌにて発光するＬＥＤと各画素との距離によって光量の過不足が生じた場合、この過不足分も補填するようになっている。
【００４７】
次に、リモコン装置３０の構成について説明する。
図１に示すように、リモコン装置３０には、例えば、信号送信部３１と、リモコン制御部３２とが備えられている。
【００４８】
信号送信部３１は、リモコン制御部３２から入力される制御信号に従って、本体部１に画素値の補正を行うための指示信号を送信する。
【００４９】
リモコン制御部３２は、例えば、ＣＰＵ、ＲＡＭ、ＲＯＭ（いずれも図示せず）等を備えて構成される。
例えば、リモコン制御部３２は、ユーザ操作に応じて、ＲＯＭ内に格納されている処理プログラムに従って、指示信号を本体部１に送信させる。
具体的には、ユーザがリモコン装置３０の所定の操作部（図示せず）を操作した場合、リモコン制御部３２は信号送信部３１を制御して本体部１に対して指示信号を送信する。
【００５０】
次に、図７のフローチャートを参照しながら、本実施形態の液晶表示装置１００において行われる補正処理の流れについて説明する。
なお、本実施形態においては、この処理を実行するにあたり、誤差値記憶部２０４には、上記した液晶パネル１５とバックライト１８との第１誤差値（ｘ、ｙ）が記憶されている。また、配置位置記憶部２０３には、光源内における各ＬＥＤの配置位置が記憶されている。
【００５１】
まず、ステップＳ１において、ユーザ操作により画素値補正処理の実行指示が入力されると、続くステップＳ２において、ＣＰＵ２０１は、液晶パネル１５上に補正画面Ｇを表示させる。
次に、ステップＳ３において、ユーザ操作により補正画面Ｇ上での交点位置の調整が行われると、続くステップＳ４において、ＣＰＵ２０１は、交点位置の移動量を誤差値（ｘ、ｙ）として検出し、誤差値記憶部２０４に記憶された第１誤差値（ｘ、ｙ）を、検出された第２誤差値（ｘ、ｙ）にて上書きする。
次に、ステップＳ５において、ＣＰＵ２０１は、発光量算出部２１により、サブ表示領域Ｓの画素毎に対向する位置にある光源Ｌを特定し、サブ表示領域Ｓ内の画素の画素値から、光源Ｌ毎に必要な発光量を算出する。
次に、ステップＳ６において、ＣＰＵ２０１は、発光量算出部２１により算出された発光量に基づいて、光源Ｌ毎の発光させるＬＥＤを決定する。
次いで、ステップＳ７において、ＣＰＵ２０１は、補正部２２により、サブ表示領域Ｓ内の各画素の画素値を補正する。
次いで、ステップＳ８において、ＣＰＵ２０１は、液晶パネル１５の走査と同期して、バックライト制御部１９によりＬＥＤを発光させ、各サブ表示領域Ｓ内の画素の画素値から算出された発光量で各光源Ｌを発光させ、本処理を終了する。
【００５２】
以上説明した本実施形態における液晶表示装置の画素値補正方法によれば、誤差値をユーザ操作に従って検出する誤差値検出工程と、誤差値検出工程により検出された誤差値に基づいて、各画素に対応する光源を特定し、光源毎に、対応する画素の画素値から当該光源の必要とする発光量を算出する算出工程と、誤差値検出工程により検出された誤差値に基づいて、各画素の画素位置を特定し、特定した画素位置において、各画素の画素値を、光源の光分布により生じる光量の過不足分を補填するように補正する補正工程と、を備えた構成であるため、液晶パネルとバックライトとの相対位置ずれを加味した補正を行うことができることとなる。
従って、液晶パネルとバックライトとの相対位置ずれにより発生する映像ムラが防止され、ローカルディミング駆動方式による、鮮やかな画質、生動感のある映像等の効果を十分得ることができる。
【００５３】
また、各サブ表示領域Ｓの画素の画素値が、発光するＬＥＤからの距離による光量の過不足分を補填するように補正されるため、ＬＥＤをどのように配置しても、発光させるＬＥＤの配置位置に起因する画質への悪影響を防止して、適切な画像表示が可能となる。
【００５４】
なお、本発明の範囲は上記実施形態に限られることなく、本発明の趣旨を逸脱しない範囲において種々の改良並びに設計の変更を行っても良い。
例えば、サブ表示領域Ｓ及び光源Ｌの分割数及び分割方法は任意であり、少なくとも２つ以上の領域に分割されればよく、また、等分割でなくとも良い。また、光源Ｌに備わるＬＥＤの数及び配置位置は、上記実施形態の例に限られない。
また、上記実施形態においては、画素値補正処理を実行させる指示信号をリモコン装置３０により出力する構成であるが、指示信号を出力する操作部は、本体部１に設けても良い。
また、上記実施形態においては、画素値補正処理にあたり、ユーザ操作に応じて第１誤差値（ｘ、ｙ）が第２誤差値（ｘ、ｙ）により上書きさせる構成であるが、第１誤差値（ｘ、ｙ）は記憶されていなくても良い。
【図面の簡単な説明】
【００５５】
【図１】本実施形態における液晶表示装置の要部構成を例示するブロック図である。
【図２】（ａ）は、液晶パネルの表示領域を構成するサブ表示領域について説明する図であり、（ｂ）は、各サブ表示領域に対応して設けられた光源について説明する図である。
【図３】（ａ）は、配置位置記憶部の一例であり、（ｂ）は、光源のＬＥＤ配置パターンを模式的に示す図である。
【図４】液晶パネルの設計位置からのずれを示す図である。
【図５】ユーザ操作により画素値の補正が実行される場合に液晶パネル上に表示される補正画面の一例を示す図である。
【図６】（ａ）は、補正画面に対応するバックライトの点灯状態の一例を示す図であり、（ｂ）は、（ａ）のバックライトに対応する液晶パネルの一例を示す図である。
【図７】本実施形態の液晶表示装置において行われる画素値補正処理の流れを示すフローチャートである。
【図８】光源の輝度分布を説明するための図である。
【符号の説明】
【００５６】
１００  液晶表示装置
１５  液晶パネル
１８  バックライト
２１  発光量算出部
２２  補正部
２０  制御部
２０１  ＣＰＵ
２０２  ＲＡＭ
２０３  配置位置記憶部
２０４  誤差値記憶部
２０５  ＲＯＭ
２０５ａ  算出プログラム
２０５ｂ  発光制御プログラム
２０５ｃ  補正プログラム
Ｇ  補正画面
【図１】
2010107881.tif 000003
【図２】
2010107881.tif 000004
【図３】
2010107881.tif 000005
【図４】
2010107881.tif 000006
【図６】
2010107881.tif 000007
【図７】
2010107881.tif 000008
【図８】
2010107881.tif 000009
【図５】
2010107881.tif 000010